(57)【要約】【課題】用紙の使用量削減を図りつつ、同じ大きさの印刷物を得るための作業工数の削減も達成できる画像形成装置、画像形成方法、及びプログラムを提供する。【解決手段】１枚の用紙面を均等に分割した各領域に同一の原稿の画像を印刷する画像形成装置である。用紙６０の周縁の上辺部及び下辺部並びに右側辺部及び左側辺部にそれぞれ余白６３を設定する。画像を印刷する際、用紙の分割された領域を区画する区画線６５が印刷されると共に、区画線の下方及び上方のそれぞれに上辺部及び下辺部に設定した余白と同じ幅の無画像域６４が設定され、区画線の左側方及び右側方のそれぞれに右側辺部及び左側辺部に設定した余白と同じ幅の無画像域６４が設定される。【選択図】図１２
2014064245.tif 000002
【特許請求の範囲】
【請求項１】
１枚の用紙面を均等に分割した各領域に同一の原稿の画像を印刷する画像形成装置であって、
前記用紙の周縁の上辺部及び下辺部並びに右側辺部及び左側辺部にそれぞれ余白を設定し、
前記画像を印刷する際、前記用紙の前記分割された領域を区画する区画線が印刷されると共に、前記区画線の下方及び上方のそれぞれに前記上辺部及び下辺部に設定した余白と同じ幅の無画像域が設定されることを特徴とする画像形成装置。
【請求項２】
請求項１に記載の画像形成装置であって、
前記区画線の左側方及び右側方のそれぞれに前記右側辺部及び左側辺部に設定した余白と同じ幅の無画像域が設定されることを特徴とする画像形成装置。
【請求項３】
請求項１又は２に記載の画像形成装置であって、
前記原稿の片面に記載の画像が前記用紙の片面に並べられ、並べられた一方の画像が他方の画像に対して１８０°回転させた姿勢で配置されていることを特徴とする画像形成装置。
【請求項４】
請求項１又は２に記載の画像形成装置であって、
前記原稿の両面に記載の各画像が前記用紙の片面に並べられ、
前記用紙の表面に配置された一方の画像の位置と、前記用紙の裏面に配置された各画像のうち、前記一方の画像とは異なる他の画像の位置とが前記用紙の表裏で一致するように配置されていることを特徴とする画像形成装置。
【請求項５】
請求項１から４のいずれか１項に記載の画像形成装置であって、
前記余白は、前記画像形成装置毎の性能ばらつきを補償するイメージロス域であることを特徴とする画像形成装置。
【請求項６】
１枚の用紙面を均等に分割した各領域に同一の原稿の画像を印刷する画像形成方法であって、
前記用紙の周縁の上辺部及び下辺部並びに右側辺部及び左側辺部にそれぞれ余白を設定するステップと、
前記用紙の前記分割された領域を区画する区画線の下方及び上方のそれぞれに前記上辺部及び下辺部に設定した余白と同じ幅の無画像域を設定し、前記区画線の左側方及び右側方のそれぞれに前記右側辺部及び左側辺部に設定した余白と同じ幅の無画像域を設定するステップと、
前記画像を印刷する際、前記区画線を印刷するステップと、を含むことを特徴とする画像形成方法。
【請求項７】
請求項６に記載の画像形成方法の各ステップをコンピュータに実行させるためのプログラム。
【発明の詳細な説明】
【技術分野】
【０００１】
本発明は、画像形成装置、画像形成方法、及びプログラムに関し、詳細には、リピートレイアウト機能を備えた画像形成装置、画像形成方法、及びプログラムに関する。
【背景技術】
【０００２】
この種の画像形成装置は、例えば、リピートレイアウト機能など、オフィスの業務効率の向上やコスト削減などを図るための機能を備えている。リピートレイアウト機能は、例えば、同じ用紙に１枚の原稿を繰り返しコピーでき、プライスカードや電話メモ、小さなチラシなどの同じ大きさの印刷物を得る際に便利な機能である。具体的には、この機能を操作パネルで選択し、原稿を原稿読取部で光学的に読み取ると、画像形成装置は、その画像を同じ用紙に繰り返し配置して印刷する。そして、各画像を切断すると、１枚の用紙から同じ大きさの印刷物が複数枚得られるので、用紙の使用枚数を削減することができる。
【０００３】
ここで、同じ用紙から得られる印刷物の枚数を増やせば、削減効果が高くなる。そこで、例えば、特許文献１には、画像が用紙外周の四辺からはみ出ないように、画像の配置方向を変更する技術が開示されている。これにより、画像形成しない余白が小さくなり、用紙の無駄を減らすことができる。
【先行技術文献】
【特許文献】
【０００４】
【特許文献１】特開２００１−８０２１号公報
【発明の概要】
【発明が解決しようとする課題】
【０００５】
しかしながら、特許文献１の原稿の画像は、用紙の隅部分を基準にして繰り返し配置されており、この用紙には、画像が隙間なく連続して印刷されると共に、画像と用紙外周の二辺との間には、画像のサイズには足りない余白が残される。このため、同じ大きさの印刷物を得るためには、画像と画像との間を切断するのみならず、画像と余白との間も切断しなければならず、同じ大きさの印刷物を得るための作業工数が増えるという問題がある。
【０００６】
ところで、用紙の周縁には、例えば、画像形成装置毎の性能ばらつきを補償するために、帯状の余白が必要になる。より詳しくは、この余白は、用紙外周の四辺に沿って所定の幅で設定され、原稿の画像は、帯状の余白で囲まれた印字領域に配置される。よって、同じ大きさの印刷物を得るためには、当該帯状の余白の大きさも考慮して画像を配置する必要がある。
【０００７】
本発明は、上述の如き実情に鑑みてなされたもので、用紙の使用量削減を図りつつ、同じ大きさの印刷物を得るための作業工数の削減も達成できる画像形成装置、画像形成方法、及びプログラムを提供することを目的とする。
【課題を解決するための手段】
【０００８】
上記課題を解決するために、本発明の第１の技術手段は、１枚の用紙面を均等に分割した各領域に同一の原稿の画像を印刷する画像形成装置であって、前記用紙の周縁の上辺部及び下辺部並びに右側辺部及び左側辺部にそれぞれ余白を設定し、前記画像を印刷する際、前記用紙の前記分割された領域を区画する区画線が印刷されると共に、前記区画線の下方及び上方のそれぞれに前記上辺部及び下辺部に設定した余白と同じ幅の無画像域が設定されることを特徴とする画像形成装置である。
【０００９】
第２の技術手段は、第１の技術手段において、前記区画線の左側方及び右側方のそれぞれに前記右側辺部及び左側辺部に設定した余白と同じ幅の無画像域が設定されることを特徴とするものである。
【００１０】
第３の技術手段は、第１又は２の技術手段において、前記原稿の片面に記載の画像が前記用紙の片面に並べられ、並べられた一方の画像が他方の画像に対して１８０°回転させた姿勢で配置されていることを特徴とするものである。
【００１１】
第４の技術手段は、第１又は２の技術手段において、前記原稿の両面に記載の各画像が前記用紙の片面に並べられ、前記用紙の表面に配置された一方の画像の位置と、前記用紙の裏面に配置された各画像のうち、前記一方の画像とは異なる他の画像の位置とが前記用紙の表裏で一致するように配置されていることを特徴とするものである。
【００１２】
第５の技術手段は、第１から４のいずれか１の技術手段において、前記余白は、前記画像形成装置毎の性能ばらつきを補償するイメージロス域であることを特徴とするものである。
【００１３】
第６の技術手段は、１枚の用紙面を均等に分割した各領域に同一の原稿の画像を印刷する画像形成方法であって、前記用紙の周縁の上辺部及び下辺部並びに右側辺部及び左側辺部にそれぞれ余白を設定するステップと、前記用紙の前記分割された領域を区画する区画線の下方及び上方のそれぞれに前記上辺部及び下辺部に設定した余白と同じ幅の無画像域を設定し、前記区画線の左側方及び右側方のそれぞれに前記右側辺部及び左側辺部に設定した余白と同じ幅の無画像域を設定するステップと、前記画像を印刷する際、前記区画線を印刷するステップと、を含むことを特徴とする画像形成方法である。
【００１４】
第７の技術手段は、第６の技術手段に記載の画像形成方法の各ステップをコンピュータに実行させるためのプログラムである。
【発明の効果】
【００１５】
本発明によれば、区画線を挟んで配置された画像の間には、用紙の周縁に設定された余白と同じく画像形成させない無画像域が画像毎に設定され、各無画像域が対応位置の余白と同じ幅で形成されている。よって、区画線のみを切断すれば、画像と余白との間を切断することなく、同じ大きさの印刷物を得ることができる。この結果、用紙の使用量削減を図りつつ、印刷物を得るための作業工数の削減も達成することができる。
【図面の簡単な説明】
【００１６】
【図１】本発明による画像形成装置の外観斜視図である。
【図２】本発明による画像形成装置の構成図である。
【図３】本発明によるリピートレイアウト制御のフローチャートである。
【図４】原稿の説明図である。
【図５】本発明による表示／操作部の説明図である。
【図６】本発明による表示／操作部の説明図である。
【図７】本発明によるリピートレイアウト例の説明図である。
【図８】本発明による表示／操作部の説明図である。
【図９】本発明によるリピートレイアウト例の説明図である。
【図１０】本発明によるリピートレイアウト例の説明図である。
【図１１】本発明による表示／操作部の説明図である。
【図１２】本発明によるリピートレイアウト例の説明図である。
【発明を実施するための形態】
【００１７】
以下、図面を参照しながら本発明の画像形成装置について説明する。図１は、本発明による画像形成装置の外観斜視図であり、画像形成装置１は、例えば、オフィスに設置されている。
画像形成装置１は、例えば、胴内排紙型の装置本体１０を有し、装置本体１０の上面には原稿読取部１１が設けられている。原稿読取部１１の上方には、装置本体１０に対して回動自在に支持された原稿押さえ１２が設置されている。なお、原稿押さえ１２に替えて自動原稿送り装置（ＡＤＦ）を用いてもよい。
【００１８】
原稿読取部１１の下方には排紙部１４が設けられ、排紙部１４は、表示／操作部２６を有した装置本体１０の正面に向けて開口している。
装置本体１０内において、排紙部１４の下方には印刷部１３が設置され、また、印刷部１３の下方には、カセット式の給紙部１５が設置されている。給紙部１５は、例えば、装置本体１０の正面側に向けて引き出し可能である。なお、給紙部１５は、上下方向に積み重ねられた多段で構成されていてもよい。また、装置本体１０の側面には、装置本体１０の側面に対して回動自在に構成された手差し部１６が設置されている。
【００１９】
図２は、本発明による画像形成装置の構成図である。画像形成装置１は、上記構成の他、制御部２７、通信Ｉ／Ｆ３０、記憶部３６、画像処理部３７等を有し、これらはバス２８を介して接続される。
制御部２７は、通信Ｉ／Ｆ３０を介して外部機器（図示省略）と通信可能に構成されている。通信Ｉ／Ｆ３０は、例えば、ＦＡＸ通信部、インターネット用通信部、赤外線通信部等を備えている。
制御部２７は、例えば、１あるいは複数個のＣＰＵ（Central Processing Unit）等からなり、記憶部３６の例えば、ＲＯＭに格納されている各種のプログラムやデータをＲＡＭにロードし、このロードしたＲＡＭ内のプログラムを実行する。これにより、データを処理しつつ、ユーザからの指示内容等に基づいて画像形成装置１の全体の動作を制御する。
【００２０】
表示／操作部２６は、例えば、液晶のディスプレイ３３と透明抵抗膜方式のタッチパネル３２からなる操作パネル３１や、接触接点を用いたハードキー３４からなる操作キーで構成される。
タッチパネル３２は、例えば、ディスプレイ３３に重ねて形成され、ディスプレイ３３には、画像形成装置１を操作するためのＧＵＩ（グラフィカルユーザインタフェース）が表示される。
画像処理部３７は、原稿読取部１１で光学的に読み取った原稿のデータに種々の処理を行って画像形成用の画像データを生成する。この生成された画像データが印刷部１３に出力される。記憶部３６は、上記読み取られた原稿のデータや生成された画像データを格納できる。
【００２１】
また、画像処理部３７は、例えば、原稿の画像を同じ用紙に繰り返し配置可能なリピートレイアウト制御部４０を有する。操作パネル３１でリピートレイアウト機能が選択され、原稿を原稿読取部１１で読み取ると、リピートレイアウト制御部４０は、１枚の用紙面を均等に分割した各領域に同一の原稿の画像を並べた画像データを生成する。この生成された画像データも印刷部１３に出力される。
印刷部１３は、給紙、画像形成、転写、定着、排紙等を行って印刷を実行可能に構成され、画像処理部３７からの画像データを用紙に印刷する。印刷部１３が両面印刷機能を備えている場合には、用紙の片面の他、もう一方の面にも画像処理部３７からの原稿の画像データを印刷できる。なお、印刷部１３は、ユーザがステープルやファイリング用の穴明け等の処理を希望した場合には、後処理装置（図示省略）と連携して動作可能である。
【００２２】
図３は、本発明によるリピートレイアウト制御のフローチャートである。また、図４は、原稿の説明図、図５は、本発明による表示／操作部の説明図、図６は、本発明による表示／操作部の説明図であり、図７は、本発明によるリピートレイアウト例の説明図である。
この例では、１枚の用紙から２枚の印刷物を得る場合を想定する。原稿は、例えば、Ａ４サイズで構成され、画像を両面に有している。詳しくは、図４に示すように、縦置きに配置された表面５１の中央には画像「あ」が、裏面５２の中央には画像「い」がそれぞれ記載されている。
【００２３】
例えば、原稿５０の表面５１を原稿読取部１１の読取ガラスに向けた状態で、原稿を原稿読取部１１上に例えば縦長で載置し、次いで、原稿５０の裏面５２を原稿押さえ１２で押さえると、原稿サイズセンサが原稿サイズを読み取る（図３のステップＳ１０１）。
操作パネル３１の待ち受け画面にて、例えば、両面印刷とリピートレイアウトとを選択すると、操作パネル３１の条件選択画面に移行する。この条件選択画面には、図５に示すように、例えば、ＯＦＦボタン４１、等倍リピートボタン４２、自動ボタン４３が操作パネル３１に表示されている。
【００２４】
ここで、Ａ４サイズの原稿をＡ３サイズの用紙に２枚並べて配置したい場合には、まず、等倍リピートボタン４２を押し下げる（図３のステップＳ１０２）。これにより、図６に示す操作パネル３１の等倍リピート設定画面に移行できる。
この設定画面では、リピート面数、原稿サイズ、用紙サイズなどを設定可能に構成されている。上記の例で言えば、リピート面数ボタンを選択して２面を設定すると、リピート面数が２リピートになる。Ａ４の原稿サイズが予め検出されており、また、倍率は等倍であるため、用紙サイズはＡ３に自動設定される。
【００２５】
なお、図６の等倍リピート設定画面において、原稿ボタンを選択すれば、原稿サイズを手動で変更できる。例えば、原稿サイズをＢ５に変更した場合、用紙サイズはＢ４に自動設定される。一方、用紙ボタンを選択すれば、用紙サイズを手動で変更できる。例えば、用紙サイズをＢ４に変更した場合、原稿サイズはＢ５に自動設定される。このように、原稿サイズや用紙サイズを手動で設定可能にすれば、仮に、原稿や用紙が不定形サイズであっても対応することができる。
【００２６】
その後、図５に示す表示／操作部２６のスタートキー３５を押し下げると（図３のステップＳ１０３のＹＥＳ）、原稿読取部１１が原稿５０の表面５１の画像「あ」を読み取り、記憶部３６に格納される（図３のステップＳ１０４）。続いて、原稿押さえ１２を開いて原稿５０を裏返し、原稿５０の裏面５２を原稿読取部１１の読取ガラスに向けた状態で、スタートキー３５を押し下げれば、裏面５２の画像「い」も読み取られ、記憶部３６に格納される。
【００２７】
続いて、リピートレイアウト制御部４０は、図６の等倍リピート設定画面の結果に基づいて、変倍処理を行う（図３のステップＳ１０５）。なお、上記等倍リピートの例で言えば、変倍率を１００％に設定する。また、仮に、Ａ４サイズの原稿を横長で載置して読み取った場合、２枚の画像がＡ３サイズの用紙に収まるように、読み取った各画像を９０°回転させる。
次に、リピートレイアウト制御部４０は、例えば、イメージロス域を用紙の周縁に設定し（図３のステップＳ１０６）、併せて、無画像域を画像の周縁に設定する。イメージロス域や無画像域は、画像形成させない無画像部分である。
【００２８】
より詳しくは、イメージロス域は、用紙毎に設定され、画像形成装置１毎の性能ばらつきを補償している。この性能ばらつきは、画像形成装置１毎の機構的または電気的なばらつきによって生じ、原稿読取部１１における原稿の読取端部においてノイズ状の画像信号が発生したり、画像形成部における用紙端部領域での汚れとして表出する。例えば、画像形成装置１のサービスマンは、最適な印刷物を提供できるように、搬送される用紙の上辺部、下辺部、左右の側辺部に所定の幅を、例えば表示／操作部２６にて画像形成装置１毎に設定する。なお、イメージロス域が本発明の余白に相当する。
【００２９】
これにより、後述する図７の参照符号６３で示した、用紙６０の搬送方向（例えば、図７（Ａ）の右方から左方に向かう方向）で見た上辺部の幅ａ、右側辺部の幅ｂ、下辺部の幅ｃ、左側辺部の幅ｄのように、用紙６０の四辺に沿って帯状に形成される。この設定されたイメージロス域６３は記憶部３６に格納されている。
これに対し、無画像域は、画像毎に設定され、後述する図７の参照符号６４で示すように、並べられる画像と画像との間に帯状に設定される。無画像域６４と無画像域６４との境界には、用紙６０の分割された領域を区画するために、区画線６５が設けられている。
【００３０】
ここで、イメージロス域の設定値が無画像域に適用され、例えば、幅ａで示した画像「あ」の左側同士、幅ｃで示した画像「あ」の右側同士のように、無画像域６４は、切断後の印刷物を図７（Ａ）の向きで見て、同じ位置に配置されるイメージロス域６３と同じ幅で形成されている。
より詳しくは、用紙６０の搬送方向で見た場合、区画線６５の下方（印刷物を図７（Ａ）の向きで見た場合、区画線６５の右側方）の無画像域６４は、用紙６０の上辺部に設定したイメージロス域６３と同じ幅ａで設定されている。また、区画線６５の上方（印刷物を図７（Ａ）の向きで見た場合、区画線６５の左側方）の無画像域６４は、用紙６０の下辺部に設定したイメージロス域６３と同じ幅ｃで設定されている。設定された無画像域６４も記憶部３６に格納される。
【００３１】
なお、無画像域６４とイメージロス域６３とを全て同じ幅で形成してもよい。また、図７や後述の図９，１０では、画像形成されない領域の理解を容易にするために、イメージロス域６３や無画像域６４を用紙の色よりも濃い色で表示しているが、実際には、用紙の色と同じ色で構成される。
次いで、リピートレイアウト制御部４０は、記憶部３６から原稿の画像を呼び出し、用紙のうち、イメージロス域で囲まれた印字領域に、原稿の画像を複数並べて配置した画像形成用の画像データを生成する（図３のステップＳ１０７）。
【００３２】
例えば、印刷後の図７（Ａ）に示すように、原稿５０の表面５１の画像「あ」を用紙６０の表面６１に２枚並べて配置し、図７（Ｂ）に示すように、裏面５２の画像「い」を用紙６０の表面６２に２枚並べて配置した、用紙６０の片面で見た繰り返し配置の画像データを生成する。なお、表面６１の画像「あ」の位置と、裏面６２の画像「い」の位置とは用紙６０の表裏で見て一致するように配置されている。
【００３３】
また、イメージロス域６３と画像との境界や、無画像域６４と画像との境界は、印刷しても用紙６０に示されないが、無画像域６４と無画像域６４との境界は、例えば、実線で用紙６０に印刷されるように示される。この生成された画像データも記憶部３６に格納される。
そして、印刷部１３は、記憶部３６から生成された画像データを呼び出して用紙に出力する（図３のステップＳ１０８）。この結果、図７に示すように、用紙６０の表面６１や裏面６２には、区画線６５が実線で印刷される。そして、区画線６５のみを切断すれば、画像とイメージロス域６３との間を切断することなく、同じ大きさの印刷物を得ることができる。
【００３４】
ところで、図８は、本発明による表示／操作部の説明図であり、図９は、本発明によるリピートレイアウト例の説明図である。この例では、図８に示すように、図６の例に加えて「２面目を上下逆に印字する」を選択している。
この場合のリピートレイアウト制御部４０は、例えば、図９（Ａ）に示すように、原稿５０の表面５１の画像「あ」を用紙６０の表面６１に２枚並べて配置し、図９（Ｂ）に示すように、裏面５２の画像「い」を用紙６０の表面６２に２枚並べて配置した、用紙６０の片面で見た繰り返し配置の画像データを生成する。ただし、例えば、並べられた一方の画像「あ」が他方の画像「あ」に対して１８０°回転させた姿勢で配置されている。
【００３５】
なお、表面６１の画像「あ」の位置と、裏面６２の画像「い」の位置とは用紙６０の表裏で見て一致するように配置されている。また、イメージロス域６３や無画像域６４の構成は上記実施例と同様である。
この例では、用紙６０の片面で見た一方の画像「あ」と他方の画像「あ」とが、区画線６５の中央部分に対して点対称の位置に配置されている。よって、区画線６５で切断し、一方の画像あるいは他方の画像のいずれかを１８０°回転させれば、切断位置を揃えた同じ大きさの印刷物を得ることができる。
【００３６】
図１０は、本発明によるリピートレイアウト例の説明図である。この場合のリピートレイアウト制御部４０は、原稿５０の両面に記載の各画像、上記例で言えば、図１０（Ａ）に示すように、表面５１の画像「あ」、裏面５２の画像「い」を用紙６０の表面６１に並べて配置し、図１０（Ｂ）に示すように、表面５１の画像「あ」、裏面５２の画像「い」を用紙６０の裏面６２に並べて配置した、用紙６０の両面で見た繰り返し配置の画像データを生成している。
【００３７】
そして、この例の場合には、用紙６０の表面６１に配置された一方の画像「あ」の位置と、用紙６０の裏面６２に配置された各画像のうち、表面６１に配置された一方の画像「あ」とは異なる他の画像「い」の位置とが用紙６０の表裏で一致するように配置されている。なお、イメージロス域６３や無画像域６４の構成は上記実施例と同様である。
この例では、用紙６０の表面６１に配置された画像「あ」及び「い」と用紙６０の裏面６２に配置された画像「あ」及び「い」とが、用紙６０の両面で見て繰り返し配置されている。よって、図１０（Ｃ）に示すように、区画線６５で折り曲げて切断すれば、いずれの印刷物を１８０°回転させなくても、切断位置を揃えた同じ大きさの印刷物を得ることができる。
【００３８】
さらに、図１１は、本発明による表示／操作部の説明図である。図５の条件選択画面において、図４で説明したＡ４サイズの原稿をＡ３サイズの用紙に、例えば、４枚並べて配置したい場合には、自動ボタン４３を押し下げる。これにより、図１１に示す操作パネル３１の自動設定画面に移行できる。
この例で言えば、リピート面数ボタンを選択して４面を設定すると、リピート面数が４リピートになる。次に、用紙ボタンを選択し、用紙サイズをＡ３に変更すると、Ａ４の原稿サイズが予め検出されているので、倍率は７０％に設定される。なお、この自動設定画面においても、原稿ボタンや用紙ボタンを選択して原稿サイズや用紙サイズを手動で設定可能であり、また、「２面目を上下逆に印字する」も選択可能である。
【００３９】
続いて、図１２に示すように、例えば、９枚の電話メモを１枚の用紙から得る場合を想定すると、イメージロス域６３が、用紙６０の搬送方向（例えば、図１２の下方から上方に向かう方向）で見た上辺部の幅ａ、右側辺部の幅ｂ、下辺部の幅ｃ、左側辺部の幅ｄのように、用紙６０の四辺に沿って帯状に形成される。
これに対し、無画像域６４は、並べられる画像と画像との間に帯状に設定され、無画像域６４と無画像域６４との境界には、区画線６５が設けられている。
【００４０】
そして、用紙６０の搬送方向で見た場合、区画線６５の下方（印刷物を図１２の向きで見た場合も同じ）の無画像域６４は、用紙６０の上辺部に設定したイメージロス域６３と同じ幅ａで設定されている。また、区画線６５の上方（印刷物を図１２の向きで見た場合も同じ）の無画像域６４は、用紙６０の下辺部に設定したイメージロス域６３と同じ幅ｃで設定されている。
さらに、図１２のような４面以上を繰り返し配置した場合には、区画線６５の左側方（印刷物を図１２の向きで見た場合も同じ）の無画像域６４は、用紙６０の右側辺部に設定したイメージロス域６３と同じ幅ｂで設定される。また、区画線６５の右側方（印刷物を図１２の向きで見た場合も同じ）の無画像域６４は、用紙６０の左側辺部に設定したイメージロス域６３と同じ幅ｄで設定される。
【００４１】
ところで、上記実施例では、まず、原稿サイズを読み取り（図３のステップＳ１０１）、その後、操作パネル３１の待ち受け画面でリピートレイアウトを選択していたが、リピートレイアウトの選択後に、原稿を原稿読取部１１にセットしてもよい。この場合、図６の等倍リピート設定では、リピート面数を設定し、ユーザが原稿を原稿読取部１１にセットした後、原稿サイズや用紙サイズが確定する。また、図１１の自動設定では、リピート面数や用紙サイズを設定し、ユーザが原稿を原稿読取部１１にセットした後、原稿サイズや倍率が確定することになる。
【００４２】
また、上記の画像形成装置１では、記憶部３６に格納していたデータの再印刷を可能に構成してもよい。この場合には、図３のステップＳ１０４では、画像の読み取りに替えて、記憶部３６からデータが呼び出される。
さらに、上記実施例では、原稿読取部１１で読み取られた原稿の画像を用いたリピートレイアウトについて説明した。しかし、本発明は、画像形成装置１に接続される外部機器、例えば、情報処理装置から受け付けた原稿の画像を用いてリピートレイアウトしてもよい。この場合には、情報処理装置上で動作するプリンタドライバで実施される。
【００４３】
詳しくは、プリンタドライバは、画像データを作成したアプリケーションから印刷指示を受付けた場合、所定のプログラムに従い、図５に示した条件選択画面や図６，１１等の設定画面を情報処理装置に表示する。
続いて、プリンタドライバは、原稿サイズや画像の他、リピート面数、用紙サイズ、倍率などを取得する。そして、上述した変倍処理、イメージロス域設定を行った後に画像データを生成し、画像形成装置１に出力すると、印刷部１３が画像データを用紙に印刷する。
【００４４】
また、上記実施例では、余白をイメージロス域に具現化した例で説明したが、本発明の余白は、印刷部１３の定着ローラや搬送ローラへの巻き付き防止のために、用紙の四辺に設定されるボイド域であってもよい。このボイド域も、図７等の参照符号６３で示したイメージロス域と同様に、用紙６０の四辺に沿って帯状に形成される。
【符号の説明】
【００４５】
１…画像形成装置、１０…装置本体、１１…原稿読取部、１２…原稿押さえ、１３…印刷部、１４…排紙部、１５…給紙部、１６…手差し部、２６…表示／操作部、２７…制御部、２８…バス、３０…通信Ｉ／Ｆ、３１…操作パネル、３２…タッチパネル、３３…ディスプレイ、３４…ハードキー、３５…スタートキー、３６…記憶部、３７…画像処理部、４０…リピートレイアウト制御部、４１…ＯＦＦボタン、４２…等倍リピートボタン、４３…自動ボタン、５０…原稿、５１…表面、５２…裏面、６０…用紙、６１…表面、６２…裏面、６３…イメージロス域、６４…無画像域、６５…区画線。
【図１】
2014064245.tif 000003
【図２】
2014064245.tif 000004
【図３】
2014064245.tif 000005
【図４】
2014064245.tif 000006
【図５】
2014064245.tif 000007
【図６】
2014064245.tif 000008
【図７】
2014064245.tif 000009
【図８】
2014064245.tif 000010
【図９】
2014064245.tif 000011
【図１０】
2014064245.tif 000012
【図１１】
2014064245.tif 000013
【図１２】
2014064245.tif 000014